(57)【要約】【課題】転写具の転写使用時において、転写テープに弛みが生じても、転写具本来の巻取り機能により弛みを解消し得る転写ヘッド部構造を提供する。【解決手段】ケースＣの先端部のヘッド挿通開口６の縁部のうち、転写ヘッドＨにおける使用済みの転写テープＴ´を回収案内する回収テープ走行面１０ｂに対向する部位が後部へ後退したテープ回収用凹部１５とされている。これにより、転写テープＴ´に弛みが生じても、テープ回収用凹部１５の存在により、転写テープＴ´がヘッド挿通開口６の縁部に接触して引っ掛かりを生じることなく、転写具本来の巻取り機能による円滑な引込みが確保されて、転写テープＴ´の弛みが自然に解消され得る。【選択図】    図４
2004188804.tif 000002
【特許請求の範囲】
【請求項１】
転写ヘッドがケースの先端部の挿通開口から外部へ突出して設けられ、転写テープが前記ケース内から繰り出されるとともに、前記転写ヘッドの先端加圧部を介して前記ケース内へ巻取り回収される構造を備えて、前記転写テープ上の塗膜等の被転写膜を紙面等に転写するための転写具において、
前記ケースの先端部の挿通開口の縁部のうち、前記転写ヘッドにおける使用済みの転写テープを回収案内する回収テープ走行面に対向する部位が後部へ後退したテープ回収用凹部とされている
ことを特徴とする転写具の転写ヘッド部構造。
【請求項２】
前記テープ回収用凹部は、前記転写ヘッドの回収テープ走行面に対向して見て、ほぼ矩形の輪郭形状とされ、
この矩形輪郭の幅寸法が少なくとも前記転写テープの幅寸法よりも大きく設定されるとともに、長さ寸法が前記転写テープに生じた弛みが転写具本来の巻取り機能による弛み解消作用で解消され得る大きさに設定されている
ことを特徴とする請求項１に記載の転写具の転写ヘッド部構造。
【請求項３】
前記テープ回収用凹部の内縁部は、前記凸円弧断面を有する丸みをもった形状とされている
ことを特徴とする請求項１または２に記載の転写具の転写ヘッド部構造。
【請求項４】
転写テープ上の塗膜等の被転写膜を紙面等に転写するための転写具であって、
片手による手持ち操作可能なケースと、
このケース内に回転可能に装着されて、転写テープを繰り出し可能に巻装した繰出リールと、
前記ケース内に回転可能に装着されて、使用後の転写テープを巻き取り回収する巻取リールと、
この巻取リールおよび前記操出リールを相互に連動回転させる連動機構と、
前記ケースの先端部分に配設されて、前記繰出リールから繰り出される転写テープを被転写部上に加圧転写する転写ヘッドと、
前記繰出リールおよび巻取リールにおける転写テープの繰出速度および巻取速度を同期させるクラッチ機構とを備えてなり、
前記転写ヘッドは、前記ケースの先端部の挿通開口から外部へ突出して設けられるとともに、この先端部の挿通開口の縁部のうち、前記転写ヘッドにおける使用済みの転写テープを回収案内する回収テープ走行面に対向する部位が後部へ後退したテープ回収用凹部とされている
ことを特徴とする転写具。
【発明の詳細な説明】
【０００１】
【発明の属する技術分野】
本発明は、転写具の転写ヘッド部構造および転写具に関し、さらに詳細には、転写テープ上に形成された塗膜等の被転写膜を紙面等に転写するための転写具において、使用後の転写テープ回収する側の転写ヘッド部の構造に関する。
【０００２】
【従来の技術】
【特許文献１】特開昭５３−１１３ＸＸＸ号公報
【特許文献２】特開２００１−２７７ＸＸＸ号公報
この種の転写具は、一般に、転写ヘッドがケースの先端部の挿通開口から外部へ突出して設けられており、ケース内に装填された繰出リールから転写テープが繰り出されるとともに、上記転写ヘッドの先端加圧部を介して再びケース内の巻取リールに巻き取り回収される構造を備え、また、ケース内には、上記巻取リールと操出リールを相互に連動回転させる歯車機構等の連動機構や、上記繰出リールと巻取リールにおける転写テープＴの繰出速度と巻取速度を同期させるクラッチ機構も設けられている（例えば、特許文献１および２参照）。
【０００３】
そして、図５に示すように、この転写具ＡのケースＣを手指にて把持して、転写ヘッドＨの先端加圧部Ｈａを紙面等の被転写部Ｂ上に密着状に押し当てて、そのままケースＣを被転写部Ｂの表面に沿って移動させて停止させる。これにより、ケースＣ内の繰出リール（図示省略）から繰出された転写テープＴ上の被転写膜ｔが、上記転写ヘッドＨにより被転写部Ｂ上に転写されるとともに、使用後の転写テープＴ´はケースＣ内の巻取リール（図示省略）に巻き取り回収される。
【０００４】
【発明が解決しようとする課題】
ところで、上記転写使用時において、使用後の転写テープＴが円滑に巻き取られにくくなり、図６に一点鎖線または二点鎖線で示すようにループ状の弛みが生じることがある。
【０００５】
この弛み現象は、主として、上記クラッチ機構に何らかの原因により作動不良が生じた場合に見られるものである。具体的には、クラッチ機構の作動不良により、転写テープＴの巻取速度が繰出速度よりも遅くなった結果、転写ヘッドＨの先端加圧部Ｈａを通過した使用後の転写テープＴ´に弛み（図６に一点鎖線または二点鎖線参照）が生じるのである。
【０００６】
そして、このように使用後の転写テープＴ´に弛みが生じた場合でも、図６に一点鎖線で示すように、その弛み量が少なくて、そのループ形状も緩やかな円弧を描いているうちは、引き続いてそのまま使用することで、この転写テープＴ´の弛みが容易に解消されて、正常な転写テープＴの円滑な流れを回復し得る。
【０００７】
ところが、図６に二点鎖線で示すように、転写テープＴ´の弛み量が多くなって、そのループが大きくなると、上記と同様に引き続いて使用すると、転写テープＴ´の弛みが解消されるどころか、ループがますます大きくなって、もはやそのままでは正常な転写テープＴの流れを回復することができなくなってしまう。
【０００８】
これは、転写テープＴ´のループが大きくなると、転写テープＴ´がそのケースＣ内への引込み口である先端部の挿通開口ａの縁部ｂで、図示のごとくＵ字状に折れ曲がる逆ループ形状となる結果、転写テープＴ´が上記先端部の挿通開口ａの縁部ｂに接触して引っ掛かり、円滑な引込みが阻害されるからである。
【０００９】
このような不具合は、従来の各種の転写具すべてに共通する問題点であり、その改良が要望されていた。
【００１０】
本発明はかかる従来の問題点に鑑みてなされたものであって、その目的とするところは、転写具の転写使用時において、使用後の転写テープに弛みが生じても、転写具本来の巻取り機能によりこの弛みが解消し得る転写ヘッド部構造を提供することにある。
【００１１】
また、本発明の他の目的とするところは、上記転写ヘッド部構造を備えた転写具を提供することにある。
【００１２】
【課題を解決するための手段】
この目的を達成するため、本発明の転写具の転写ヘッド部構造は、転写ヘッドがケースの先端部の挿通開口から外部へ突出して設けられ、転写テープが上記ケース内から繰り出されるとともに、上記転写ヘッドの先端加圧部を介して上記ケース内へ巻取り回収される構造を備えて、上記転写テープ上の塗膜等の被転写膜を紙面等に転写するための転写具において、上記ケースの先端部の挿通開口の縁部のうち、上記転写ヘッドにおける使用済みの転写テープを回収案内する回収テープ走行面に対向する部位が後部へ後退したテープ回収用凹部とされていることを特徴とする。
【００１３】
好適な実施態様として、上記テープ回収用凹部は、上記転写ヘッドの回収テープ走行面に対向して見て、ほぼ矩形の輪郭形状とされ、この矩形輪郭の幅寸法が少なくとも上記転写テープの幅寸法よりも大きく設定されるとともに、長さ寸法が上記転写テープに生じた弛みが転写具本来の巻取り機能による弛み解消作用で解消され得る大きさに設定される。ここに、「転写具本来の巻取り機能による弛み解消作用」とは、一旦生じた転写テープのループ状の弛みが、転写動作をそのまま続行することにより、転写具本来の巻取り動作で自然に解消する作用をいう。
【００１４】
また、本発明の転写具は、転写テープ上の塗膜等の被転写膜を紙面等に転写するためのものであって、片手による手持ち操作可能なケースと、このケース内に回転可能に装着されて、転写テープを繰り出し可能に巻装した繰出リールと、上記ケース内に回転可能に装着されて、使用後の転写テープを巻き取り回収する巻取リールと、この巻取リールおよび上記操出リールを相互に連動回転させる連動機構と、上記ケースの先端部分に配設されて、上記繰出リールから繰り出される転写テープを被転写部上に加圧転写する転写ヘッドと、上記繰出リールおよび巻取リールにおける転写テープの繰出速度および巻取速度を同期させるクラッチ機構とを備えてなり、上記転写ヘッドは、上記ケースの先端部の挿通開口から外部へ突出して設けられるとともに、この先端部の挿通開口の縁部のうち、上記転写ヘッドにおける使用済みの転写テープを回収案内する回収テープ走行面に対向する部位が後部へ後退したテープ回収用凹部とされていることを特徴とする。
【００１５】
本発明の転写ヘッド部構造を備える転写具において、転写具のケースを手指にて把持して、転写ヘッドの先端加圧部を被転写部上に密着状に押し当てた状態で被転写部表面に沿って移動させることにより、上記ケース内の繰出リールから繰出された転写テープ上の被転写膜は、上記転写ヘッドにより上記被転写部上に転写されるとともに、使用後の上記転写テープは上記ケース内の巻取リールに巻き取り回収される。
【００１６】
この使用後の転写テープの巻取り動作において、転写テープが円滑に巻き取られにくくなり、ループ状の弛みが生じることがあるところ、上記ケースの転写ヘッドが挿通される上記先端部の挿通開口の縁部のうち、上記転写ヘッドにおける使用済みの転写テープを回収案内する回収テープ走行面に対向する部位が後部へ後退したテープ回収用凹部とされていることにより、転写テープに大きなループ状の弛みが生じても、転写テープがそのケース内への引込み口である上記先端部の挿通開口の縁部に接触して引っ掛かりを生じることなく、転写具本来の巻取り機能による円滑な引込みが確保されて、転写テープの弛みが自然に解消され得る。
【００１７】
【発明の実施の形態】
以下、本発明の実施形態を図面に基づいて詳細に説明する。
本発明に係る転写具が図１〜図４に示されており、この転写具Ａは、具体的には誤字等を修正するための字消し具として使用されるものであって、転写テープＴを含めてすべの構成部品が消耗品とされてなる使い切りタイプの構造を備えている。
【００１８】
すなわち、字消し具Ａは、図１に示すような外観形状を呈するケースＣ内に、図２に示すように、転写テープＴを繰り出し可能に巻装した繰出リール１、使用後の転写テープＴ´を巻き取り回収する巻取リール２、これら両リール１、２を相互に連動回転させる連動機構３、転写テープＴを被転写部上に加圧転写する転写ヘッドＨおよび上記両リール２における転写テープＴの繰出速度および巻取速度を同期させるクラッチ機構（図示省略）などを主要部として備えてなり、上記転写ヘッドＨの周辺部位が転写テープＴ´の弛み防止構造とされている。
【００１９】
ケースＣは片手による手持ち操作可能なもので、図示のごとく、上記繰出リール１および巻取リール２等の構成部品を内装し得る正面輪郭形状寸法と幅寸法を備える偏平な箱状とされ、その対向する一対の扁平な表裏面Ｃａ，Ｃｂが手持ち操作時の基準的な把持面とされている。
【００２０】
このケースＣは、射出成形等により一体成形されたプラスチック製のものであって、分割構造のケース本体４とキャップ体５とから構成されるとともに、ケースＣの先端部には、転写ヘッドＨを内外に挿通するヘッド挿通開口６が形成されている。このヘッド挿通開口６は、ケース本体４の先端に凹設された開口形成凹部６ａと、キャップ体５の先端に凹設された開口形成凹部６ｂとから形成されている。
【００２１】
また、ケースＣの先端部のヘッド挿通開口６の縁部にはテープ回収用凹部１５が形成されており、このテープ回収用凹部１５は、後述するように、転写ヘッドＨの周辺部位の転写テープＴ´の弛み防止構造を構成する。
【００２２】
上記ケース本体４の内側面に、上記繰出リール１および巻取リール２がそれぞれ回転可能に軸支されるとともに、これら両リール１，２には、それぞれ連動歯車３ａ、３ｂが同心状に設けられ、これら両連動歯車３ａ、３ｂが相互に噛合されて上記連動機構３を構成している。また、具体的には図示しないが、繰出リール１側において、繰出リール１と連動歯車３ａとの間には、摩擦係合構造を備える上記クラッチ機構が設けられており、このクラッチ機構の作用により、常態においては、繰出リール１と連動歯車３ａが一体回転する一方、転写テープＴに所定値以上のテンションが加わると、繰出リール１と連動歯車３ａとの間に回転方向への滑りが生じて、両者が相対回転するようにされている。
【００２３】
転写テープＴは従来周知の積層構造を備え、具体的には、フィルム状基材テープの片面に、剥離剤層、修正塗料層および加圧接着性を有する粘着剤（感圧接着剤）層が順次積層されてなり、これら修正塗料層と粘着剤層が被転写膜としての塗膜ｔを形成している。
【００２４】
繰出リール１から繰出される転写テープＴは、上記転写ヘッドＨの片側テープ走行面に沿って先端加圧部Ｈａへ案内された後、この先端加圧部Ｈａを経由して反転され、さらに反対側テープ走行面に沿って案内されて、巻取リール２に巻回される。
【００２５】
転写ヘッドＨは、ヘッド本体１０と取付部１１からなり、転写テープＴの加圧方向に対して弾性変形可能な弾性ヘッドの形態とされている。
【００２６】
具体的には、上記ヘッド本体１０は、転写テープＴを加圧転写するもので、所望の転写位置に的確に転写するのに適した形状、つまり、その先端がある程度尖ったいわゆる尖頭形とされている。
【００２７】
図示の実施形態のヘッド本体１０は、転写テープＴよりも若干幅広の矩形状を有する薄肉の板状体とされるとともに、側面から見てある程度尖った形状、つまり先端に向けて次第に薄くなるような先細のテーパ形状断面を有してなる。ヘッド本体１０は、その平坦な両側面１０ａ，１０ｂがテープ走行面を形成するとともに、その先端縁が、上述したように転写テープＴを加圧する先端加圧部Ｈａとされている。この先端加圧部Ｈａは、上記テープ走行面１０ａ，１０ｂにおけるテープ走行方向に直交する直線縁の形態とされている。また、ヘッド本体１０の両側縁には、転写テープＴの走行を案内するガイドフランジ１０ｃ、１０ｃが形成されている。
【００２８】
なお、ヘッド本体１０を構成する板状体の肉厚が比較的小さい場合には、必ずしも図示のようなテーパをもった形状とせずに、前後方向全体にわたって同一の肉厚を有する形状でも良く、要するに、上記ヘッド本体１０の先端加圧部Ｈａが的確に転写箇所を位置決め指示できる程度の厚さ（尖り度）を有する構造とされていれば良い。
【００２９】
また、上記ヘッド本体１０の基端側部位に上記取付部１１が一体形成されている。この取付部１１は円筒形状とされて、ケース本体４の内側面に起立状に一体形成された取付ピン１２に挿入支持されて、ヘッド本体１０がケース本体４に取り付けられる。これに関連して、具体的には図示しないが、ヘッド本体１０の取付部１１と幅方向反対側位置に位置決め部が一体形成されて、この位置決め部がケース本体４に設けられた係合支持部に係合することで、ヘッド本体１０の位置決め固定がなされる。
【００３０】
そして、転写ヘッドＨがこのようにケース本体４に取付け固定された状態において、先端加圧部Ｈａは転写テープＴをケースＣの把持面Ｃａ、Ｃｂに対して平行な状態で加圧する角度位置にあり、いわゆる横引き使用タイプの転写ヘッドとされている。
【００３１】
また、この転写ヘッドＨに関連して、ケースＣのヘッド挿通開口６の縁部には前記テープ回収用凹部１５が形成されている。
【００３２】
このテープ回収用凹部１５は、使用後の転写テープＴ´の巻取り動作においてループ状の弛みが生じた場合にも、転写具Ａ本来の巻取り機能による弛み解消作用を有効に発揮させるためのものであって、その目的に対応した配置構成および形状寸法とされている。ここに、「転写具Ａ本来の巻取り機能による弛み解消作用」とは、一旦生じた転写テープＴ´のループ状の弛みが、転写動作をそのまま続行することにより転写具Ａ本来の巻取り動作で自然に解消する作用をいう。
【００３３】
テープ回収用凹部１５は、ケースＣの先端部のヘッド挿通開口６の縁部のうち、転写ヘッドＨにおける使用済みの転写テープを回収案内する回収テープ走行面１０ｂに対向する部位、具体的にはキャップ体５の先端部位に設けられている。
【００３４】
テープ回収用凹部１５は、図３および図４に示すように、ヘッド挿通開口６の縁部から後部へ後退して設けられており、図示のものにおいては、図３に示すように、転写ヘッドＨの回収テープ走行面１０ｂに対向して見て、直線状の三辺からなるほぼ矩形の輪郭形状とされている。
【００３５】
このテープ回収用凹部１５の矩形輪郭の幅寸法、つまりその両側面１５ｂ、１５ｂ間の間隔距離Ｗは、少なくとも転写テープＴの幅寸法よりも大きく設定され、図示のものでは転写ヘッドＨの幅寸法よりも若干大きく設定されている。これにより、使用後の転写テープＴ´に弛みが生じても、この転写テープＴ´が上記テープ回収用凹部１５の両側面１５ｂ、１５ｂに接触するのが有効に防止される。
【００３６】
また、テープ回収用凹部１５の矩形輪郭の長さ寸法、つまりテープ回収用凹部１５の開口端から最奥部面１５ａまでの距離Ｌは、転写テープＴの巻取り動作時に一旦生じたループ状の弛みが転写具Ａ本来の巻取り機能による弛み解消作用により解消する程度に設定されている。
【００３７】
すなわち、テープ回収用凹部１５の上記長さ寸法Ｌが小さ過ぎると、図６に二点鎖線で示す従来品のように、転写具Ａ本来の巻取り機能による弛み解消作用によっても転写テープＴ´の弛みが解消されない。
【００３８】
一方、テープ回収用凹部１５の上記長さ寸法Ｌが大き過ぎると、このテープ回収用凹部１５から塵埃がケースＣ内へ入り易くて、ケースＣ本来の防塵機能を損なったり、あるいは、転写テープＴ´の正常巻取り時（弛みがない状態での巻取り時）におけるケースＣ内側面によるテープ案内作用が得られず、転写テープＴ´が踊って円滑な巻取り走行が阻害される。
【００３９】
いずれにしても、上記テープ回収用凹部１５の長さ寸法Ｌは、転写テープＴ´つまり基材テープ自体の弾力性等の特性を考慮して設定されることになる。
【００４０】
しかして、以上のように構成された転写具Ａにより誤字等を修正するには、ケースＣの把持面Ｃａ，Ｃｂを手指にて把持して、転写ヘッドＨの先端加圧部Ｈａを紙面等の被転写部Ｂ上に密着状に押し当てて、そのままケースＣを被転写部Ｂの表面に沿って移動させることにより、転写ヘッドＨの先端加圧部Ｈａにおける転写テープＴの塗膜ｔが、基材テープから剥離して上記被修正部分Ｂ上に転写されるとともに、被転写膜ｔが剥離された使用後の転写テープＴ´つまり上記基材テープはケースＣ内の巻取リール２に巻取り回収される。
【００４１】
なお、この使用後の転写テープＴの巻取り動作において、転写テープＴが円滑に巻き取られにくくなり、図４に一点鎖線または二点鎖線で示すように、ループ状の弛みが生じることがある。
【００４２】
この弛み現象は、主として、前記クラッチ機構に何らかの原因により作動不良が生じて、転写テープＴの巻取速度が繰出速度よりも遅くなった結果起きるところ、上記ケースＣのテープ回収用凹部１５の存在により、転写具Ａ本来の巻取り機能による弛み解消作用が働く程度の弛みである限り、ループ状の弛みの大小に関わらず、転写テープＴ´がケースＣ内への引込み口であるヘッド挿通開口６の縁部に接触して引っ掛かりを生じることなく、転写具Ａ本来の巻取り機能による円滑な引込みが確保されて、転写テープＴ´の弛みが自然に解消され得る。
【００４３】
一例として、図４において二点鎖線で示される転写テープＴ´の弛みループは、図６に二点鎖線で示す従来品における転写テープＴ´の弛みループと同じ長さ（同じ弛み量）であるが、上記テープ回収用凹部１５の存在により、転写テープＴ´が上記ヘッド挿通開口６の縁部で、図６に示すようにＵ字状に折れ曲がる逆ループ形状減少を生じず、緩やかなループが形成されて、転写テープＴ´はヘッド挿通開口６の縁部に接触して引っ掛かることなく、円滑な引込みが確保され得る。
【００４４】
なお上述した実施形態はあくまでも本発明の好適な実施態様を示すものであって、本発明はこれに限定されることなく、その範囲内で種々の設計変更が可能である。一例として以下のような改変が可能である。
【００４５】
(1) テープ回収用凹部１５の内縁部は、図４に示されるような断面矩形状に代えて、二点鎖線で示されるような凸円弧断面を有する丸みをもった形状とされてもよく、このように丸みを持たせることにより、たとえ転写テープＴ´がこの内縁部に接触しても、円滑な転写テープＴ´の流れが確保される。
【００４６】
(2) 転写ヘッドＨの具体的構造は、図示の実施形態に限定されず、転写テープＴの加圧方向に対して弾性変形しない硬質ヘッドの形態、直線状の先端加圧部を有する針金製ヘッドの形態、この針金製ヘッドの直線状の先端加圧部に、加圧円筒体が設けられたもの、円筒状の先端加圧部を有する円筒ローラの形態など種々の形態が採用可能である。
【００４７】
(3)  また、転写ヘッドＨは、図示のような横引き使用タイプのほか、先端加圧部Ｈａが転写テープＴをケースＣの把持面Ｃａ、Ｃｂに対して直交する状態で加圧する角度位置にある縦引き使用タイプとされてもよい。
【００４８】
(4)  転写テープＴは、図示のような塗膜転写テープのほか、基材テープの表面に、粘着剤層が剥離可能に配置保持されてなる粘着剤転写テープなど各種転写テープが採用可能である。
【００４９】
(5)  さらに、転写具Ａは、図示のような使い切りタイプの他、少なくとも前記繰出リールおよび前記巻取リールを備えるテープカートリッジが、ケースＣ内に取外し交換可能に装着されて、転写テープＴの交換が可能な構造を備えてなるリフィルタイプも採用可能である。
【００５０】
【発明の効果】
以上詳述したように、本発明においては、ケースの先端部に設けられた転写ヘッド挿通用の挿通開口の縁部のうち、転写ヘッドにおける使用済みの転写テープを回収案内する回収テープ走行面に対向する部位が後部へ後退したテープ回収用凹部とされているから、転写具の転写使用時において、使用後の転写テープに弛みが生じても、転写具本来の巻取り機能によりこの弛みが解消し得る。
【００５１】
すなわち、転写具の転写使用時における使用後の転写テープの巻取り動作において、クラッチ機構の動作不良等に起因して、転写テープが円滑に巻き取られにくくなり、ループ状の弛みが生じることがあるところ、上記ケースの転写ヘッドが挿通される上記先端部の挿通開口の縁部のうち、上記転写ヘッドにおける使用済みの転写テープを回収案内する回収テープ走行面に対向する部位が後部へ後退したテープ回収用凹部とされていることにより、転写テープに大きなループ状の弛みが生じても、転写テープがそのケース内への引込み口である上記先端部の挿通開口の縁部に接触して引っ掛かりを生じることなく、転写具本来の巻取り機能による円滑な引込みが確保されて、転写テープの弛みが自然に解消され得る。
【図面の簡単な説明】
【図１】本発明の一実施形態である転写具を示す斜視図である。
【図２】同転写具のケースを分解してケース内部を示す斜視図である。
【図３】同転写具の転写ヘッド部分を拡大して示す正面図である。
【図４】同転写具の使用状態における転写ヘッド部分を拡大して示す断面側面図である。
【図５】転写具の使用状態を示す斜視図である。
【図６】従来の転写具の使用状態における転写ヘッド部分を拡大して示す断面側面図である。
【符号の説明】
Ａ                  転写具
Ｃ                  ケース
Ｈ                  転写ヘッド
Ｈａ                転写ヘッドの先端加圧部
Ｔ                  転写テープ
Ｔ´                使用後の転写テープ
ｔ                  塗膜（被転写膜）
Ｗ                  テープ回収用凹部の幅寸法
Ｌ                  テープ回収用凹部の長さ寸法
１                  繰出リール
２                  巻取リール
３                  連動機構
６                  ヘッド挿通開口（挿通開口）
１０                ヘッド本体
１０ｂ              回収テープ走行面
１５                テープ回収用凹部
【図１】
2004188804.tif 000003
【図２】
2004188804.tif 000004
【図３】
2004188804.tif 000005
【図４】
2004188804.tif 000006
【図５】
2004188804.tif 000007
【図６】
2004188804.tif 000008